(57)【要約】【課題】  プライミング時や接続時においても液体流出口近傍を清潔状態のまま維持することができ、接続状態を解除したときにも液体流出口より液が漏れることがなく、輸液ラインへの取り付け取り外しを容易に行えるようにする。【解決手段】  雄コネクタ１の流路を形成する管２の先端部４に、その流路からの液体の流出を遮断し気体の流出は可能とする気体排出部７と、液体が流出可能な液体流出口８とを設けるとともに、管２の先端部４の周りに、接続時に雌コネクタ３０から受ける押圧力によって液体流出口８を開放し押圧力を解除すると復元して液体流出口８を塞ぐシャッタ手段２０を設ける。【選択図】        図２
2006192118.tif 000002
【特許請求の範囲】
【請求項１】
輸液ラインの接続部に設けられて連通流路を形成する雄コネクタ及び雌コネクタからなる輸液ラインの接続装置において、
前記雄コネクタの流路を形成する管の先端部に、該流路からの液体の流出を遮断し気体の流出は可能とする気体排出部と、液体が流出可能な液体流出口とを設けるとともに、該管の先端部の周りに、接続時に前記雌コネクタから受ける押圧力によって前記液体流出口を開放し該押圧力を解除すると復元して該液体流出口を塞ぐシャッタ手段を設けたことを特徴とする輸液ラインの接続装置。
【請求項２】
前記雄コネクタの前記気体排出部を、該雄コネクタの管の先端に形成した開口と、該開口を覆うように該管と一体化されて流路からの液体の流出を遮断し気体の流出を可能とするフィルタとから構成するとともに、
前記液体流出口を、該雄コネクタの管の先端部の側壁に形成した穴から構成したことを特徴とする請求項１記載の輸液ラインの接続装置。
【請求項３】
前記雄コネクタの前記気体排出部を、該雄コネクタの管の先端部の側壁に形成した第１の側孔と、該第１の側孔を覆うように該管と一体化されて流路からの液体の流出を遮断し気体の流出を可能とするフィルタとから構成するとともに、
前記液体流出口を、該雄コネクタの管の先端部の側壁における前記第１の側孔よりも上流側に形成した第２の側孔から構成したことを特徴とする請求項１記載の輸液ライン接続装置。
【請求項４】
前記シャッタ手段の前記雄コネクタの管からの脱落を防止するシャッタ脱落防止手段を設けたことを特徴とする請求項１乃至請求項３のいずれかに記載の輸液ラインの接続装置。
【請求項５】
前記雄コネクタの管の軸方向の途中に、外向きフランジ状に張り出す張出部と該張出部の外周縁から軸方向先端に延びて前記管の先端部を囲繞する外筒部を設け、
前記シャッタ脱落防止手段を、
前記外筒部の内面に軸方向に延出させて形成した溝状凹部と、
前記シャッタ手段に突設されて前記溝状凹部内に摺動自在に嵌入し該溝状凹部の先端面と係合可能なストッパと、から構成したことを特徴とする請求項４記載の輸液ラインの接続装置。
【請求項６】
前記雄コネクタと前記雌コネクタとの接続状態を保持する保持手段を設けたことを特徴とする請求項１乃至請求項５のいずれかに記載の輸液ラインの接続装置。
【請求項７】
前記雌コネクタの後端部を前記雄コネクタの外筒部内に嵌入可能に形成し、
前記保持手段を、
前記雄コネクタの外筒部の前端面より凹陥させて形成したフック状切欠きと、
前記雌コネクタの後端部の外面に突設されて前記雄コネクタのフック状切欠きと係合可能な突起と、から構成したことを特徴とする請求項６記載の輸液ラインの接続装置。
【請求項８】
前記雄コネクタの管が挿入される前記雌コネクタの注入孔部に、前記雄コネクタの管が挿通可能なスリットを有しかつ該雄コネクタの管の前記液体流出口が貫通可能な厚さに設定されたゴム状弾性体を設けたことを特徴とする請求項１乃至請求項７のいずれかに記載の輸液ラインの接続装置。
【請求項９】
前記雄コネクタを、シリンジの先端に一体に設けたことを特徴とする請求項１乃至請求項８のいずれかに記載の輸液ラインの接続装置。
【発明の詳細な説明】
【技術分野】
【０００１】
本発明は、輸液ラインなどに設けられて血液や薬液等を流通可能にする輸液ラインの接続装置に関する。なお、本明細書において、後端側（又は基部側）とは、本接続装置を介して薬液等を輸液する際の液流れの上流側を意味し、先端側（又は先端部側）とは、下流側を意味する。
【背景技術】
【０００２】
医療用器具の輸液ラインにおいて、接続部に感染防止機能や針刺事故防止機能を備えたクローズドシステムが用いられている。例えば、三方活栓の雌コネクタの注入孔部に、雄コネクタの管が挿通可能な感染防止用のいわゆるセプタムと称されるゴム状弾性体を設け、この雌コネクタ側のセプタムに雄コネクタの管を挿入することで、輸液ラインへの接続がなされるようになっているものがある。
【０００３】
図１１は従来の輸液ラインの接続装置の一例を示す縦断面図で、雄コネクタ７０と雌コネクタ８０とから構成されている。雄コネクタ７０は、先端に液体流出口７３を有する雄型ルアー７１を備えており、雌コネクタ８０は、中空のリテーナ８１の内部に、雄型ルアー７１が嵌入可能なセプタム８２を有している。リテーナ８１には、その外周面から外方へ突出する突出部８３が形成され、この突出部８３が雄コネクタ７０の締結用筒部７２内の雌ねじと係合できるようになっていて、これにより、雄コネクタ７０と雌コネクタ８０とを係合させて固定できるようになっている（例えば、特許文献１参照）。
【０００４】
【特許文献１】特表平８−５００９８３号公報（第２頁、図２）
【発明の開示】
【発明が解決しようとする課題】
【０００５】
しかしながら、雄コネクタ７０の雄型ルアー７１の先端に液体流出口７３を設けた従来の輸液ラインの接続装置では、プライミング（エア抜き）後に液が液体流出口７３から漏れたり、コネクタが外れたときに液がそのまま垂れ流しの状態になったりして不清潔な状態になり易く、液体流出口７３付近の保護が十分ではなかった。また、雄型ルアー７１の側面も外部に露出した状態にあり、側面部及びその周辺部に外部の埃や菌が付着したり漏れ出した液が付着したりして不清潔な状態になりやすかった。
【０００６】
本発明の技術的課題は、プライミング時や接続時においても液体流出口近傍を清潔状態のまま維持することができ、接続状態を解除したときにも液体流出口より液が漏れることがなく、輸液ラインへの取り付け取り外しを容易に行えるようにすることにある。
【課題を解決するための手段】
【０００７】
本発明に係る輸液ラインの接続装置は、下記の構成からなるものである。すなわち、輸液ラインの接続部に設けられて連通流路を形成する雄コネクタ及び雌コネクタからなる輸液ラインの接続装置において、雄コネクタの流路を形成する管の先端部に、その流路からの液体の流出を遮断し気体の流出は可能とする気体排出部と、液体が流出可能な液体流出口とを設けるとともに、管の先端部の周りに、接続時に雌コネクタから受ける押圧力によって液体流出口を開放し押圧力を解除すると復元して液体流出口を塞ぐシャッタ手段を設けたものである。
【０００８】
また、雄コネクタの気体排出部を、雄コネクタの管の先端に形成した開口と、この開口を覆うようにその管と一体化されて流路からの液体の流出を遮断し気体の流出を可能とするフィルタとから構成するとともに、液体流出口を、雄コネクタの管の先端部の側壁に形成した穴から構成したものである。
【０００９】
また、雄コネクタの気体排出部を、雄コネクタの管の先端部の側壁に形成した第１の側孔と、第１の側孔を覆うようにその管と一体化されて流路からの液体の流出を遮断し気体の流出を可能とするフィルタとから構成するとともに、液体流出口を、雄コネクタの管の先端部の側壁における第１の側孔よりも上流側に形成した第２の側孔から構成したものである。
【００１０】
また、シャッタ手段の雄コネクタの管からの脱落を防止するシャッタ脱落防止手段を設けたものである。
【００１１】
また、雄コネクタの管の軸方向の途中に、外向きフランジ状に張り出す張出部とこの張出部の外周縁から軸方向先端に延びて前記管の先端部を囲繞する外筒部を設け、シャッタ脱落防止手段を、前記外筒部の内面に軸方向に延出させて形成した溝状凹部と、シャッタ手段に突設されて前記溝状凹部内に摺動自在に嵌入しこの溝状凹部の先端面と係合可能なストッパと、から構成したものである。
【００１２】
また、雄コネクタと雌コネクタとの接続状態を保持する保持手段を設けたものである。
【００１３】
また、雌コネクタの後端部を雄コネクタの外筒部内に嵌入可能に形成し、保持手段を、雄コネクタの外筒部の前端面より凹陥させて形成したフック状切欠きと、雌コネクタの後端部の外面に突設されて雄コネクタのフック状切欠きと係合可能な突起と、から構成したものである。
【００１４】
また、雄コネクタの管が挿入される雌コネクタの注入孔部に、雄コネクタの管が挿通可能なスリットを有しかつ雄コネクタの管の液体流出口が貫通可能な厚さに設定されたゴム状弾性体を設けたものである。
【００１５】
また、雄コネクタを、シリンジの先端に一体に設けたものである。
【発明の効果】
【００１６】
本発明によれば、雄コネクタの流路を形成する管内からの液体の流出を遮断しながらこの管内から気体のみを排出（プライミング）することができて、この管内を液体で満たすことができる。このため、雌コネクタを取外してもほとんど液漏れがなく、菌やごみや埃が付着するのは主にシャッタ手段の外側表面なので、拭き取りなどにより簡単に除去することができ、液体流出口やその周辺を常時清潔に維持することができる。
【発明を実施するための最良の形態】
【００１７】
実施の形態１．
図１乃至図５はいずれも本発明の実施の形態１に係る輸液ラインの接続装置を示すもので、図１はその雄コネクタを示す左側面図、正面図、右側面図、図２はその雄コネクタの縦断面図、図３はその雌コネクタを示す左側面図、正面図、右側面図、図４はその雌コネクタの縦断面図、図５はその雄コネクタと雌コネクタの接続状態を示す縦断面図である。
【００１８】
本実施形態の輸液ラインの接続装置は、輸液ラインへの接続部に設けられて連通流路を形成する合成樹脂製の雄コネクタ１及び雌コネクタ３０から構成される。雄コネクタ１には、図２のように流路を形成し薬液などの液が注入される管すなわち注入管２が設けられている。注入管２は、基部側に位置してチューブやシリンジなどに接続される円筒状の導入部３と、先端部側に位置して導入部３よりも縮径された注入部４とにより形成されている。注入部４は、さらに導入部３側に位置して先端部側に向け漸次縮径する円錐状のテーパ注入部５と、その先端部側に位置して先端に向け僅かに漸次縮径するほぼ円筒状の先端注入部６とにより形成されている。
【００１９】
注入管２の先端部には、その流路からの液体の流出を遮断し気体の流出は可能とする気体排出部７と、液体が流出可能な液体流出口８が設けられているとともに、注入管２の先端部の周りに、接続時に雌コネクタ３０から受ける押圧力によって液体流出口８を開放し押圧力を解除すると復元して液体流出口８を塞ぐシャッタ手段２０が設けられている。
【００２０】
これを更に詳述すると、気体排出部７は、注入管２の先端に形成した開口９と、開口９を覆うように注入管２と融着や接着などにより一体化されて流路からの液体の流出を遮断し気体の流出を可能とするフィルタ１１とから構成されている。すなわち、フィルタ１１は、ポリプロピレンやポリエチレンなどを主要材とし、ミクロンサイズの微孔が無数に空いている透湿・防水フィルムなどが用いられる。このような透湿・防水フィルムは、空気などの気体は透過するが水分などの液体は遮断する特性を持つ。また、液体流出口８は、雄コネクタ１の注入管２の先端部の側壁に形成した複数の穴から構成されている。
【００２１】
注入管２の軸方向の途中には、外向きフランジ状に張り出す張出部１２とこの張出部１２の外周縁から連続して軸方向先端に延びて注入管２の先端部、つまり注入部４を囲繞する外筒部１３が設けられ、外筒部１３と注入管２の注入部４との間に空間１４が形成され、空間１４内にシャッタ脱落防止手段１５を介してシャッタ手段２０が軸方向に摺動自在に取り付けられている。シャッタ脱落防止手段１５は、注入部４からのシャッタ手段２０の脱落を防止するもので、外筒部１３の内面に軸方向に延出させて形成した溝状凹部１６と、シャッタ手段２０に突設されて溝状凹部１６内に摺動自在に嵌入しこの溝状凹部１６の先端面１７と係合可能なストッパ１８とから構成されている。なお、ストッパ１８は、溝状凹部１６内を摺動することで、シャッタ手段２０全体を外筒部１３の空間１４内で軸方向に案内する機能も有する。
【００２２】
シャッタ手段２０は、図２のように注入管２をその先端注入部６の先端周側壁側よりテーパ注入部５の先端縮径部側にかけて覆う弾性材よりなる筒状のシャッタ本体２１と、先端に内向きフランジ状の底部２２を有するとともにこの底部２２の外周縁から連続して軸方向後方に延びる筒部２３が設けられてシャッタ本体２１の先端の弁形成部２４を収容する摺動部材２５と、摺動部材２５の筒部２３内の後方、つまり筒部２３内に収容されているシャッタ本体２１の弁形成部２４の背面側に配置されて弁形成部２４を先端側（摺動部材２５の底部２２側）に押圧して固定する固定部材２６とから構成され、摺動部材２５の筒部２３の外面にシャッタ脱落防止手段１５のストッパ１８が突設されている。また、摺動部材２５の底部２２の孔２２ａには、シャッタ本体２１の弁形成部２４に突設された環状凸部２４ａが嵌入し、環状凸部２４ａの先端面と摺動部材２５の底部２２の先端面とが面一に形成され、雌コネクタ３０の後端面と当接できるようになっている。
【００２３】
シャッタ本体２１は、その後端部側が膨出して締付部２７として構成され、この締付部２７の内周面がテーパ注入部５における先端縮径部外周面に沿うテーパ状に形成されている。また、シャッタ本体２１の軸方向中央部付近は、圧縮時に図５のように蛇腹状に変形可能な円筒部２８に形成され、それよりも先端側は、円柱状に膨出して前記弁形成部２４として構成されている。そして、シャッタ本体２１が注入部４の基部側へ所定以上の押圧力を受けて移動させられたときに、先端注入部６の液体流出口８がシャッタ本体２１すなわち弁形成部２４から開放されるようになっている。また、この開放状態から押圧力を解除すると、前記復元力により、シャッタ本体２１が先端部側へ復帰し、先端注入部６の液体流出口８が弁形成部２４により覆われて閉塞されるようになっている。ここで、所定の押圧力とは、シャッタ本体２１と注入部４との間の摩擦力やテーパ注入部５のテーパ角などにより決定されるものである。
【００２４】
また、雄コネクタ１の外筒部１３の周方向複数ヶ所にその前端面より凹陥するフック状切欠き２９が形成されている。
【００２５】
雌コネクタ３０は、その本体の先端側が二重筒部として形成され、この二重筒部の外筒部３１の内周面に雌ねじ３２が設けられ、この雌ねじ３２によって三方活栓のポート等に螺合接続できるようになっている。また、雌コネクタ３０の本体の後端側は外筒部３１から連続する単筒部３３として形成され、この単筒部３３の外周面の周方向複数ヶ所に雄コネクタ１側のフック状切欠き２９（図１）と係合可能な突起３４が設けられており、これら雄コネクタ１側のフック状切欠き２９と雌コネクタ３０側の各突起３４とによって雄コネクタ１と雌コネクタ３０との接続状態を保持する保持手段３５が構成されている。また、先端側二重筒部の内筒部となる注入管３６は、その断面形状が、その先端から後端に向かって拡開する断面ほぼＹ字状に形成され、その後端部が単筒部３３と一体化されている。そして、後端開口部となる単筒部３３の空隙部３７内に、雄コネクタ１の先端注入部６が挿通可能なスリット３８を有しかつ雄コネクタ１との接続時に先端注入部６の液体流出口８が貫通可能な厚さに設定されて前記接続時に保持部材４１と共にシャッタ手段２０に当接可能なゴム状弾性体からなるセプタム３９が充填され、保持部材４１によって空隙部３７からの脱落が防止されている。
【００２６】
保持部材４１は、図４のように後端側が互いに接続された二重リング状に形成され、その内リング部４２の先端側には断面が鋭角となるように内外周面にテーパが形成されているとともに、内リング部４２と外リング部４３の間には環状溝部４４が形成されており、この環状溝部４４を雌コネクタ３０の本体の後端に嵌めることで、本体に取り付けられるようになっている。また、保持部材４１の外リング部４３の内周面には、環状凹部４５が設けられているとともに、これと対向する本体後端部の外周面には、保持部材４１の取付時に、これの環状凹部４５が係合可能な環状凸部４６が設けられており、これによって保持部材４１の雌コネクタ本体への安定した取付状態が維持できるようになっている。
【００２７】
セプタム３９には、その後端面の周縁部に環状溝部４７が形成され、環状溝部４７内に保持部材４１の内リング部４２が嵌入できるようになっており、保持部材４１によって雌コネクタ本体からの脱落が防止されるようになっている。
【００２８】
以上のように構成される本実施形態の輸液ラインの接続装置において、雄コネクタ１と雌コネクタ３０を介して輸液ラインへ接続するには、まず雄コネクタ１の注入管２内の導入部３から注入部４に輸液を充填する。これにより、注入管２先端のフィルタ１１よりエアのみが排出され、プライミングが完了する。
【００２９】
次に、雄コネクタ１のシャッタ手段２０の環状凸部２４ａの先端面と底部２２の先端面を、例えば三方活栓側に位置する雌コネクタ３０の後端面に当接させて押圧する。これにより、シャッタ手段２０は、外筒部１３の溝状凹部１６に案内されて空間１４内で後退する。この時、注入管２の先端注入部６は、シャッタ手段２０とは相対的に雌コネクタ３０のセプタム３９の後方からそのスリット３８内に挿入される。シャッタ手段２０がさらに後退すると、シャッタ本体２１の締付部２７が外筒部１３の底部となる張出部１２に当接し、この状態からさらに押圧すると、シャッタ本体２１の円筒部２８が蛇腹状に変形する。次いで、この状態から雄コネクタ１を押圧しながら回動すると、図５のように雌コネクタ３０の各突起３４が雄コネクタ１の各フック状切欠き２９内に嵌入して係合し、かつ雄コネクタ１の先端注入部６の液体流出口８が雌コネクタ３０のセプタム３９を貫通して空隙部３７内に導入された状態で位置が固定される。
【００３０】
このようにして、雄コネクタ１のシャッタ手段２０が雌コネクタ３０の後端面と当接し、押し縮められるので、雄コネクタ１の先端注入部６の液体流出口８が大気中に開放されることなく、雌コネクタ３０の空隙部３７内でのみ開放されて、雄コネクタ１と雌コネクタ３０とが連通接続される。なお、雄コネクタ１を雌コネクタ３０に接続する際に、誤って接続が外れた場合は、雄コネクタ１が離脱する際にシャッタ本体２１の復元力によってシャッタ手段２０が先端側に戻り、雄コネクタ１の先端注入部６の液体流出口８がシャッタ本体２１の弁形成部２４によって閉じられるので、液の流出が抑えられる。
【００３１】
すなわち、雄コネクタ１と雌コネクタ３０が連通接続しているときは、シャッタ手段２０が後退した状態にあり、このときシャッタ本体２１の締付部２７は基部側に拡径するテーパ注入部５のテーパ面によって強制的に拡げられ、さらにシャッタ本体２１の円筒部２８は蛇腹状に変形して軸方向に圧縮された状態となっているので、シャッタ本体２１にはテーパ面上で縮径方向への復元力が生じ、その分力がシャッタ手段２０を先端方向へ押しやるように作用する。したがって、雌コネクタ３０から雄コネクタ１を引き抜くと、シャッタ本体２１がテーパ注入部５のテーパ面に沿って小径側に摺動し、これに伴いシャッタ手段２０が外筒部６の溝状凹部１６に案内されて先端部側に移動し、シャッタ本体２１の弁形成部２４によって先端注入部６の液体流出口８が塞がれ、再び図１のような状態に復帰する。
【００３２】
このように本実施形態によれば、雄コネクタ１の注入管２内の導入部３から注入部４に輸液を充填するだけで、注入管２先端のフィルタ１１よりエアのみ排出することができて、プライミングが完了する。また、雄コネクタ１の注入部４にテーパ注入部５を設けて、シャッタ本体２１の締付部２７に径方向への弾性力（分力が先端方向へ働く）を付与するとともに、シャッタ本体２１に蛇腹状に変形可能な円筒部２８を設けて、軸方向への弾性力を付与するようにしたので、シャッタ手段２０に先端部側への付勢力を発生させることができて、雄コネクタ１の先端注入部６の液体流出口８を通常はシャッタ手段２０によって閉塞することができる。このため、プライミング時等における液漏れを最小限にすることができて、感染の温床となりやすい液等の拡散を抑えることができる。さらに、外筒部１３の空間１４内に埃等が付着するのを防ぐことができて、注入部４及びその周囲を常に清潔な状態に維持することができる。
【００３３】
また、シャッタ脱落防止手段１５によって、通常時の液体流出口８の閉塞状態を保持することができるとともに、外筒部１３からシャッタ手段２０が脱落するのを防止することができる。
【００３４】
また、必要なときにはシャッタ手段２０に基部方向への力を加えるだけで、先端注入部６の液体流出口８を開放できるので、使い勝手が向上する。
【００３５】
また、保持手段３５によって、雄コネクタ１と雌コネクタ３０との接続状態を保持することができて、信頼性の確保が容易となる。
【００３６】
実施の形態２．
図６及び図７はいずれも本発明の実施の形態２に係る輸液ラインの接続装置を示すもので、図６はその雄コネクタの縦断面図、図７はその雄コネクタと雌コネクタの接続状態を示す縦断面図であり、各図中、前述の実施の形態１のものと同一又は相当する部分には同一符号を付してある。
【００３７】
この実施の形態２の輸液ラインの接続装置は、注入管２の先端部の周りに設けられて接続時に雌コネクタ３０から受ける押圧力により液体流出口８を開放し押圧力を解除すると復元して液体流出口８を塞ぐシャッタ手段２０Ａの復元力発生の手法が前述の実施の形態１のものと異なっている。
【００３８】
すなわち、前述の実施の形態１（図２）ではシャッタ本体２１のもつ弾性力（復元力）を利用してシャッタ手段２０を元の位置、つまりシャッタ脱落防止手段１５のストッパ１８が溝状凹部１６の先端面１７と係合する位置に復帰させるようにしているが、この実施の形態２では、ばね力を利用してシャッタ手段２０Ａを元の位置に復帰させるようにしている。
【００３９】
これを更に詳述すると、シャッタ手段２０Ａは、その弾性材よりなるシャッタ本体２１Ａが円柱状の弁形成部２４のみから形成されているとともに、弁形成部２４の背面と外筒部１３の底部となる張出部１２の内面との間に、弁形成部２４を常時、先端側すなわちシャッタ脱落防止手段１５のストッパ１８が溝状凹部１６の先端面１７と係合する方向に付勢するコイルばね４０が配設されて構成されている。それ以外の気体排出部７及び保持手段３５を含む他の構成は前述の実施の形態１のものと同一である。
【００４０】
本実施形態の輸液ラインの接続装置においては、前述の実施の形態１のものと同様の効果に加え、ばね定数を変えるだけで容易に弾性力（復元力）を変更することができるので、シャッタ本体２１Ａの材質の選定等、設計的自由度が拡大するとともに、動作が安定するという利点がある。
【００４１】
図８及び図９はいずれも本発明の変形例に係る輸液ラインの接続装置を示すもので、図８はその雄コネクタを備えたシリンジを示す左側面図、正面図、右側面図、図９はそのシリンジの縦断面図であり、各図中、前述の実施の形態１のものと同一部分には同一符号を付してある。
【００４２】
この変形例の輸液ラインの接続装置は、基本的に前述の実施の形態１（図２）で説明した雄コネクタ１の注入管２の導入部３を削除し、外筒部１３を後方に延長させてシリンジ５０に構成したものである。この変形例は前述の実施の形態１及び実施の形態２のものに適用可能である。
【００４３】
この変形例の輸液ラインの接続装置において、液体流出口８がシャッタ手段２０によって閉じられて保護されている状態下で、シリンジ５０のプランジャ５１を押圧して、シリンジ５０内から注入部４に輸液を充填すれば、注入部４先端の気体排出部７のフィルタ１１よりエアのみが排出され、プライミングが完了する。
【００４４】
このように、この変形例の輸液ラインの接続装置においては、液体流出口８を閉じたままでプライミングを行うことができるので、シリンジに従来必要であった保護キャップなどが不要となり、使い勝手が向上する。
【００４５】
図１０は本発明の他の変形例に係る輸液ラインの接続装置の要部である注入部の接続前と接続後の状態を示す縦断面図であり、図中、前述の実施の形態１のものと同一部分には同一符号を付してある。
【００４６】
この変形例の輸液ラインの接続装置は、雄コネクタの気体排出部７Ａを、雄コネクタの注入部４の先端部の側壁に形成した複数の第１の側孔６０と、これら第１の側孔６０をそれぞれ覆うように注入部４と融着や接着などにより一体化されて流路からの液体の流出を遮断し気体の流出を可能とするフィルタ１１Ａとから構成するとともに、液体流出口８Ａを、雄コネクタの注入部４の先端部の側壁における第１の側孔６０よりも上流側に形成した第２の側孔から構成したものである。この変形例は前述の実施の形態１、実施の形態２、及び変形例（図８、図９）のいずれのものにも適用可能である。
【００４７】
この変形例の輸液ラインの接続装置において、通常時は各気体排出部７Ａが開放される程度まで注入部４の先端がシャッタ手段２０より突出し、その状態で各液体流出口８Ａがシャッタ手段２０の弁形成部２４にて閉じられている。つまり、各液体流出口８Ａを閉じたままでプライミングを行うことができる。
【００４８】
また、雌コネクタ３０との接続時は、各液体流出口８Ａの部分までセプタム３９を貫通し、各液体流出口８Ａが開放され輸液を行えるようになっている。
【００４９】
この変形例の輸液ラインの接続装置においては、注入部４の先端が完全に閉じられ見かけ上むく軸状態となっているので、セプタム３９貫通時などの抵抗を低減することができ、使い勝手が向上する。
【図面の簡単な説明】
【００５０】
【図１】本発明の実施の形態１に係る輸液ラインの接続装置の雄コネクタを示す左側面図、正面図、右側面図である。
【図２】本発明の実施の形態１に係る輸液ラインの接続装置の雄コネクタの縦断面図である。
【図３】本発明の実施の形態１に係る輸液ラインの接続装置の雌コネクタを示す左側面図、正面図、右側面図である。
【図４】本発明の実施の形態１に係る輸液ラインの接続装置の雌コネクタの縦断面図である。
【図５】本発明の実施の形態１に係る輸液ラインの接続装置の雄コネクタと雌コネクタの接続状態を示す縦断面図である。
【図６】本発明の実施の形態２に係る輸液ラインの接続装置の雄コネクタの縦断面図である。
【図７】本発明の実施の形態２に係る輸液ラインの接続装置の雄コネクタと雌コネクタの接続状態を示す縦断面図である。
【図８】本発明の変形例に係る輸液ラインの接続装置の雄コネクタを備えたシリンジを示す左側面図、正面図、右側面図である。
【図９】本発明の変形例に係る輸液ラインの接続装置のシリンジの縦断面図である。
【図１０】本発明の他の変形例に係る輸液ラインの接続装置の要部である注入部の接続前と接続後の状態を示す縦断面図である。
【図１１】従来の輸液ラインの接続装置を示す縦断面図である。
【符号の説明】
【００５１】
１  雄コネクタ
２  注入管（管）
４  注入部（管の先端部）
７，７Ａ  気体排出部
８  液体流出口（穴）
８Ａ  液体流出口（第２の側孔）
９  気体排出部の開口
１１，１１Ａ  気体排出部のフィルタ
１２  張出部
１３  外筒部
１５  シャッタ脱落防止手段
１６  溝状凹部
１７  溝状凹部の先端面
１８  ストッパ
２０，２０Ａ  シャッタ手段
２９  フック状切欠き
３０  雌コネクタ
３３  単筒部（雌コネクタの後端部）
３４  突起
３５  保持手段
３７  空隙部（雌コネクタの注入孔部）
３８  スリット
３９  セプタム（ゴム状弾性体）
５０  シリンジ
６０  第１の側孔（気体排出部の開口）
【図１】
2006192118.tif 000003
【図２】
2006192118.tif 000004
【図３】
2006192118.tif 000005
【図４】
2006192118.tif 000006
【図５】
2006192118.tif 000007
【図６】
2006192118.tif 000008
【図７】
2006192118.tif 000009
【図８】
2006192118.tif 000010
【図９】
2006192118.tif 000011
【図１０】
2006192118.tif 000012
【図１１】
2006192118.tif 000013